【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
複数の情報処理端末とネットワークを介して接続される情報処理装置であって、
前記情報処理端末へ会議で表示するために用いられる会議の資料データを送信する送信手段と、
会議に参加している間に前記情報処理端末において前記資料データに対して追加された情報であって、同じ会議に参加している他の情報処理端末へ送信される情報を受信する受信手段と、
受信した前記追加された情報を記憶する記憶手段と、を有し、
前記情報処理端末からの要求を受けると、前記情報処理端末へ送信する会議の資料データが、開催後に終了した会議の資料データであって、該会議の資料データに対して追加された情報が前記記憶手段において記憶されている場合に、前記資料データと、前記資料データに対して追加された情報とを前記情報処理端末へ送信することで前記追加された情報が追加された前記資料データを前記情報処理端末において表示させる
ことを特徴とする情報処理装置。
【請求項２】
前記記憶手段は、会議ごとに会議の状態を示す状態情報を関連付けて記憶し、
前記要求に基づいて前記情報処理端末へ送信する会議の資料データに対応する会議が前記記憶手段に記憶されている状態情報に基づいて開催された会議が終了した状態であると判断された場合に、前記資料データと、前記資料データに対して追加された情報とを送信し、
開催された会議が終了した状態でないと判断された場合に、前記資料データを送信する
ことを特徴とする請求項１記載の情報処理装置。
【請求項３】
前記送信手段が送信する前記資料データはＰＤＦデータであって、前記資料データに関連付けられている追加された情報はＸＭＬデータである
ことを特徴とする請求項１又は２記載の情報処理装置。
【請求項４】
前記受信手段によって受信した前記追加された情報を前記情報処理端末と同じ会議に参加している前記他の情報処理端末へ送信する配信手段をさらに有する
ことを特徴とする請求項１乃至３何れか一項記載の情報処理装置。
【請求項５】
前記記憶手段に記憶される前記追加された情報は、前記情報処理端末において前記資料データに対して書き込まれた情報である
ことを特徴とする請求項１乃至４何れか一項記載の情報処理装置。
【請求項６】
前記資料データに対して書き込まれた情報は、前記資料データの識別情報、前記書き込みがあったページ番号、前記書き込みに対応する座標値を含み、
前記記憶手段は前記資料データの識別情報に基づいて前記資料データと該資料データに対して書き込まれた情報を関連付けて記憶する
ことを特徴とする請求項５記載の情報処理装置。
【請求項７】
受信した前記資料データに対して追加された情報は、前記情報処理端末において受け付けた前記資料データに対するユーザのアクションが、会議の発表者によるアクションであると判断された場合に前記情報処理端末から送信される情報である
ことを特徴とする請求項１乃至５何れか一項記載の情報処理装置。
【請求項８】
前記ユーザのアクションは、前記資料データに対するページ送り又はメモ書きの操作であることを特徴とする請求項７記載の情報処理装置。
【請求項９】
前記記憶手段はさらに、前記会議の発表者及び参加者の情報を含む表示制御情報を記憶し、
前記表示制御情報を参照することによって、受信した前記追加された情報を前記発表者以外の参加者が操作する他の情報処理端末へ送信する
ことを特徴とする請求項７記載の情報処理装置。
【請求項１０】
前記会議の資料データは、前記複数の情報処理端末のうち、いずれかの情報処理端末から受信した情報に基づいて前記記憶手段に登録されたデータである
ことを特徴とする請求項１乃至９何れか一項記載の情報処理装置。
【請求項１１】
前記送信手段が送信する前記資料データは、電子文書のためのフォーマット形式で作成されたデータである
ことを特徴とする請求項１乃至１０何れか一項記載の情報処理装置。
【請求項１２】
前記情報処理装置は少なくとも1以上のコンピュータで構成されている
ことを特徴とする請求項１乃至１１何れか一項記載の情報処理装置。
【請求項１３】
複数の情報処理端末と、情報処理装置とが、ネットワークを介して接続される電子会議システムであって、
前記情報処理端末へ会議で表示するために用いられる会議の資料データを送信する送信手段と、
会議に参加している間に前記情報処理端末において前記資料データに対して追加された情報であって、同じ会議に参加している他の情報処理端末へ送信される情報を受信する受信手段と、
受信した前記追加された情報を記憶する記憶手段と、を有し、
前記情報処理端末からの要求を受けると、前記情報処理端末へ送信する会議の資料データが、開催後に終了した会議の資料データであって、該会議の資料データに対して追加された情報が前記記憶手段において記憶されている場合に、前記資料データと、前記資料データに対して追加された情報とを前記情報処理端末へ送信することで前記追加された情報が追加された前記資料データを前記情報処理端末において表示させる
ことを特徴とする電子会議システム。
【請求項１４】
複数の情報処理端末とネットワークを介して接続される情報処理装置において実行されるデータ送信方法であって、
前記情報処理端末へ会議で表示するために用いられる会議の資料データを送信するステップと、
会議に参加している間に前記情報処理端末において前記資料データに対して追加された情報であって、同じ会議に参加している他の情報処理端末へ送信される情報を受信するステップと、
受信した前記追加された情報を記憶するステップと、を有し、
前記情報処理端末からの要求を受けると、前記情報処理端末へ送信する会議の資料データが、開催後に終了した会議の資料データであって、該会議の資料データに対して追加された情報が前記記憶するステップにおいて記憶されている場合に、前記資料データと、前記資料データに対して追加された情報とを前記情報処理端末へ送信することで前記追加された情報が追加された前記資料データを前記情報処理端末において表示させる
ことを特徴とするデータ送信方法。
【請求項１５】
複数の情報処理端末とネットワークを介して接続される情報処理装置に、
前記情報処理端末へ会議で表示するために用いられる会議の資料データを送信するステップ、
会議に参加している間に前記情報処理端末において前記資料データに対して追加された情報であって、同じ会議に参加している他の情報処理端末へ送信される情報を受信するステップ、
受信した前記追加された情報を記憶するステップ、を実行させ、
前記情報処理端末からの要求を受けると、前記情報処理端末へ送信する会議の資料データが、開催後に終了した会議の資料データであって、該会議の資料データに対して追加された情報が前記記憶するステップにおいて記憶されている場合に、前記資料データと、前記資料データに対して追加された情報とを前記情報処理端末へ送信することで前記追加された情報が追加された前記資料データを前記情報処理端末において表示させる
ことを実行させることを特徴とするプログラム。
【請求項１６】
情報処理装置とネットワークを介して接続される情報処理端末であって、
前記情報処理装置から送信された他の情報処理端末と表示を共有する会議の資料データを表示する表示手段と、
会議に参加している間に自端末において前記資料データに対して追加された情報であって、同じ会議に参加している他の情報処理端末へ送信される情報を前記情報処理装置へ送信する送信手段と、
を有し、
前記情報処理装置へ要求すると、前記情報処理装置から送信される会議の資料データが、開催後に終了した会議の資料データであって、該会議の資料データに対して追加された情報が前記情報処理装置において記憶されている場合に、前記資料データと該資料データに対して追加された情報とを前記情報処理装置から受信することによって、前記表示手段が前記追加された情報が追加された前記資料データを表示することを特徴とする情報処理端末。
【請求項１７】
情報処理装置とネットワークを介して接続される情報処理端末において実行される方法であって、
前記情報処理装置から送信された他の情報処理端末と表示を共有する会議の資料データを表示するステップと、
会議に参加している間に自端末において前記資料データに対して追加された情報であって、同じ会議に参加している他の情報処理端末へ送信される情報を前記情報処理装置へ送信するステップと、
を有し、
前記情報処理装置へ要求すると、前記情報処理装置から送信される会議の資料データが、開催後に終了した会議の資料データであって、該会議の資料データに対して追加された情報が前記情報処理装置において記憶されている場合に、前記資料データと該資料データに対して追加された情報とを前記情報処理装置から受信することによって、前記追加された情報が追加された前記資料データを表示することを特徴とする方法。
【請求項１８】
情報処理装置とネットワークを介して接続される情報処理端末に、
前記情報処理装置から送信された他の情報処理端末と表示を共有する会議の資料データを表示するステップ、
会議に参加している間に自端末において前記資料データに対して追加された情報であって、同じ会議に参加している他の情報処理端末へ送信される情報を前記情報処理装置へ送信するステップ、を実行させ、
前記情報処理装置へ要求すると、前記情報処理装置から送信される会議の資料データが、開催後に終了した会議の資料データであって、該会議の資料データに対して追加された情報が前記情報処理装置において記憶されている場合に、前記資料データと該資料データに対して追加された情報とを前記情報処理装置から受信することによって、前記追加された情報が追加された前記資料データを表示することを実行させることを特徴とするプログラム。
【請求項１９】
前記情報処理端末にネットワークを介して接続する前記情報処理装置は少なくとも1以上のコンピュータで構成されている
ことを特徴とする請求項１８記載のプログラム。
【手続補正２】
【補正対象書類名】明細書
【補正対象項目名】発明の名称
【補正方法】変更
【補正の内容】
【発明の名称】情報処理装置、情報処理端末、電子会議システム、データ送信方法及びプログラム
【手続補正３】
【補正対象書類名】明細書
【補正対象項目名】０００１
【補正方法】変更
【補正の内容】
【０００１】
本発明は、情報処理装置、情報処理端末、電子会議システム、データ送信方法及びプログラムに関する。
【手続補正４】
【補正対象書類名】明細書
【補正対象項目名】０００５
【補正方法】変更
【補正の内容】
【０００５】
本発明は、上記の点に鑑みなされたもので、終了した会議の会議情報に基づき会議を再開催することができる情報処理装置、情報処理端末、電子会議システム、データ送信方法及びプログラムを提供することを目的とする。
【手続補正５】
【補正対象書類名】明細書
【補正対象項目名】０００６
【補正方法】変更
【補正の内容】
【０００６】
上記目的を達成するため、本願請求項１は、複数の情報処理端末とネットワークを介して接続される情報処理装置であって、前記情報処理端末へ会議で表示するために用いられる会議の資料データを送信する送信手段と、会議に参加している間に前記情報処理端末において前記資料データに対して追加された情報であって、同じ会議に参加している他の情報処理端末へ送信される情報を受信する受信手段と、受信した前記追加された情報を記憶する記憶手段と、を有し、前記情報処理端末からの要求を受けると、前記情報処理端末へ送信する会議の資料データが、開催後に終了した会議の資料データであって、該会議の資料データに対して追加された情報が前記記憶手段において記憶されている場合に、前記資料データと、前記資料データに対して追加された情報とを前記情報処理端末へ送信することで前記追加された情報が追加された前記資料データを前記情報処理端末において表示させることを特徴とする。